(57)【要約】      （修正有）【課題】セキュリティ性を向上させる媒体情報読取装置及び媒体取引装置を提供する。【解決手段】現金自動取引装置は、紙幣に関する取引を受け付ける顧客応対部と、ストライプ延設方向ＤＳに沿って磁気ストライプＭＳが設けられたカードＣＤを、媒体挿脱方向としてのカード挿脱方向ＤＣｉｏに沿って挿脱するカード入出口４と、カード挿脱方向ＤＣｉｏとは異なる方向にストライプ延設方向ＤＳが向くよう搬送されたカードＣＤにおける磁気ストライプＭＳから、媒体情報としてのカード情報を読み取るカードリーダ３８を設ける。【選択図】図４
2016207079.tif 000002
【特許請求の範囲】
【請求項１】
ストライプ延設方向に沿って磁気ストライプが設けられた媒体を、媒体挿脱方向に沿って挿脱する媒体口と、
前記媒体挿脱方向とは異なる方向に前記ストライプ延設方向が向くよう搬送された前記媒体における前記磁気ストライプから、媒体情報を読み取る媒体情報読取部と
を有する媒体情報読取装置。
【請求項２】
前記媒体口は、前記ストライプ延設方向とは異なる前記媒体挿脱方向に沿って前記媒体を挿入及び排出する
請求項１に記載の媒体情報読取装置。
【請求項３】
前記媒体口は、前記媒体情報読取装置の前面に形成され、前記磁気ストライプが前記媒体の後側に位置する状態の前記媒体を、前記ストライプ延設方向が前記媒体挿脱方向に直交する方向で挿脱する
請求項２に記載の媒体情報読取装置。
【請求項４】
前記媒体情報読取部は、前記ストライプ延設方向が前記媒体挿脱方向に直交する状態で前記ストライプ延設方向に沿って搬送された前記媒体における前記磁気ストライプから、前記媒体情報を読み取る
請求項３に記載の媒体情報読取装置。
【請求項５】
前記媒体口は、前記媒体情報読取装置の前面に形成され、前記ストライプ延設方向が前記媒体挿脱方向に対し傾斜した前記媒体を挿脱する
請求項２に記載の媒体情報読取装置。
【請求項６】
前記ストライプ延設方向が前記媒体挿脱方向に対し傾斜した前記媒体を、前記ストライプ延設方向が前記媒体挿脱方向に沿う状態に回転させる回転矯正部をさらに有し、
前記媒体情報読取部は、前記ストライプ延設方向が前記媒体挿脱方向に沿う状態で前記ストライプ延設方向に沿って搬送された前記媒体における前記磁気ストライプから、前記媒体情報を読み取る
請求項５に記載の媒体情報読取装置。
【請求項７】
前記媒体口は、前記媒体挿脱方向に対する前記ストライプ延設方向の傾斜角度を取引毎に変えて前記媒体を挿脱する
請求項５に記載の媒体情報読取装置。
【請求項８】
前記媒体口は、前記ストライプ延設方向が前記媒体挿脱方向に対し傾斜した前記媒体を、前記ストライプ延設方向が前記媒体挿脱方向に沿うよう回転させつつ排出する
請求項５に記載の媒体情報読取装置。
【請求項９】
利用者に前記媒体挿脱方向に沿って挿入された前記媒体の端部を保持し回動する媒体保持部をさらに有し、
前記媒体口は、前記媒体情報読取装置の前面に形成され、前記ストライプ延設方向が前記媒体挿脱方向に沿う状態に対し回動された前記媒体を挿脱する
請求項２に記載の媒体情報読取装置。
【請求項１０】
前記媒体保持部は、利用者に前記媒体挿脱方向に沿って挿入された前記媒体を、後方へ沿って直線的に引き込む
請求項９に記載の媒体情報読取装置。
【請求項１１】
前記媒体口における前記媒体の回動軌跡に対応する箇所を開閉するシャッタをさらに有する
請求項９に記載の媒体情報読取装置。
【請求項１２】
媒体に関する取引を受け付ける顧客応対部と、
ストライプ延設方向に沿って磁気ストライプが設けられたカードを、カード挿脱方向に沿って挿脱するカード入出口と、
前記カード挿脱方向とは異なる方向に前記ストライプ延設方向が向くよう搬送された前記カードにおける前記磁気ストライプから、カード情報を読み取るカードリーダと
を有する媒体取引装置。
【発明の詳細な説明】
【技術分野】
【０００１】
本発明は媒体情報読取装置及び媒体取引装置に関し、例えば紙幣のような紙葉状の媒体を投入して所望の取引を行う現金自動取引装置（ＡＴＭ:Automated Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００３】
このような現金自動取引装置においては、不正に取り付けられたスキミングデバイスにより、カードが挿脱される際に該カードの磁気ストライプからカード情報を不正に取得する行為であるスキミングを防止するものが提案されている（例えば、特許文献１参照）。
【先行技術文献】
【特許文献】
【０００４】
【特許文献１】特開２０１２−１０３８２２号公報
【発明の概要】
【発明が解決しようとする課題】
【０００５】
現金自動取引装置においては、カード挿脱時のスキミングをより一層防止し、セキュリティをより向上させることが望まれている。
【０００６】
本発明は以上の点を考慮してなされたもので、セキュリティを向上させ得る媒体情報読取装置及び媒体取引装置を提案しようとするものである。
【課題を解決するための手段】
【０００７】
かかる課題を解決するため本発明の媒体情報読取装置においては、ストライプ延設方向に沿って磁気ストライプが設けられた媒体を、媒体挿脱方向に沿って挿脱する媒体口と、媒体挿脱方向とは異なる方向にストライプ延設方向が向くよう搬送された媒体における磁気ストライプから、媒体情報を読み取る媒体情報読取部とを設けるようにした。
【０００８】
また本発明の媒体取引装置においては、媒体に関する取引を受け付ける顧客応対部と、ストライプ延設方向に沿って磁気ストライプが設けられたカードを、カード挿脱方向に沿って挿脱するカード入出口と、カード挿脱方向とは異なる方向にストライプ延設方向が向くよう搬送されたカードにおける磁気ストライプから、カード情報を読み取るカードリーダとを設けるようにした。
【０００９】
本発明では、媒体の挿脱時にストライプ延設方向に沿って大きく媒体を移動させないようにすることができる。
【発明の効果】
【００１０】
本発明によれば、媒体の挿脱時にストライプ延設方向に沿って大きく媒体を移動させないようにすることができる。かくして本発明は、セキュリティを向上させ得る媒体情報読取装置及び媒体取引装置を実現できる。
【図面の簡単な説明】
【００１１】
【図１】現金自動取引装置の構成を示す斜視図である。
【図２】現金自動取引装置の構成を示す左側面図である。
【図３】カードの構成を示す平面図である。
【図４】第１の実施の形態によるカード情報読取部の構成を示す平面図である。
【図５】第２の実施の形態によるカード情報読取部の構成を示し、（Ａ）は平面図、（Ｂ）は右側面図である。
【図６】第３の実施の形態によるカード情報読取部の構成（１）を示し、（Ａ）は平面図、（Ｂ）は右側面図、（Ｃ）は正面図である。
【図７】第３の実施の形態によるカード情報読取部の構成（２）を示す平面図である。
【図８】第３の実施の形態によるカード情報読取部の構成（３）を示す平面図である。
【図９】第３の実施の形態によるカード情報読取部の構成（４）を示す平面図である。
【図１０】第４の実施の形態によるカード情報読取部の構成を示す平面図である。
【図１１】第５の実施の形態によるカード情報読取部の構成を示す平面図である。
【図１２】他の実施の形態によるカード情報読取部の構成を示す平面図である。
【発明を実施するための形態】
【００１２】
以下、発明を実施するための形態（以下実施の形態とする）について、図面を用いて説明する。
【００１３】
［１．第１の実施の形態］
［１−１．現金自動取引装置の構成］
図１及び図２に示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に、所定の厚みを有するフロントパネル３０が設けられている。
【００１４】
フロントパネル３０には顧客応対部３が設けられている。顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカードリーダ３８が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。
【００１５】
カードＣＤは、図３に示すように略長方形の薄板状に形成されており、金融機関の顧客である利用者に対して発行され、入金、出金、振込及び残高照会等の金融取引が行われる際に用いられる。またカードＣＤには、利用者の氏名、口座番号、暗証番号、顧客ＩＤ等の情報を格納する磁気ストライプＭＳが設けられている。磁気ストライプＭＳは、カードＣＤの裏面における短手方向の一端側寄りに、該カードＣＤの長手方向の一端から他端までに亘って所定幅で、長手方向であるストライプ延設方向ＤＳに沿って形成されている。カードＣＤの表面の短手方向の磁気ストライプＭＳ側であり、該カードＣＤがカード入出口４に挿入される際の長手方向における進行方向側の端部には、該カードＣＤが挿入される際に移動されるべき方向である挿入指示方向Ｄｉを示す進行方向マークＭＫが記載されている。
【００１６】
筐体２内には、現金自動取引装置１全体を統轄制御する主制御部９や、紙幣に関する種々の処理を行う紙幣入出金機１０等が設けられている。
【００１７】
以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００１８】
［１−２．紙幣入出金機の内部構成］
紙幣入出金機１０は、図２に示すように、箱状の入出金機筐体１１を中心に構成されており、紙幣制御部１２が各部（入出金部１６、搬送部２４、鑑別部１８、一時保留部２０、紙幣収納庫２６、リジェクト庫２８及び取忘れ庫２２）を統轄制御する。
【００１９】
紙幣制御部１２は、図示しないＣＰＵを中心に構成されており、ＲＯＭ、ＲＡＭ、ハードディスクドライブやフラッシュメモリ等でなる記憶部１４（図１）から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果等を取引情報と合わせて記憶する。
【００２０】
紙幣入出金機１０の内部には、上側に入出金部１６、紙幣の金種や真偽を判定する鑑別部１８及び入金紙幣等を一時的に保留する一時保留部２０等が設けられている。
【００２１】
入出金部１６は、顧客から投入された紙幣を１枚ずつ分離し搬送部２４へ繰り出す。また入出金部１６は、搬送部２４へ繰り出す紙幣と、入金リジェクト紙幣として入出金部１６へ戻された紙幣とを分別して保持する。
【００２２】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、該鑑別部１８の後側と一時保留部２０及び入出金部１６とをそれぞれ接続している。また搬送部２４は、鑑別部１８の前側と入出金部１６、紙幣収納庫２６、リジェクト庫２８及び取忘れ庫２２とを接続している。搬送部２４の分岐点には、セレクタ（図示せず）が設けられており、紙幣制御部１２の制御に基づき回動することにより、紙幣の搬送先を切り替える。
【００２３】
鑑別部１８は、その内部で紙幣を搬送しながら、光学素子や磁気検出素子等を用いて該紙幣の金種及び真偽、並びに損傷の程度等（正損）を鑑別し、その鑑別結果を紙幣制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として紙幣制御部１２へ通知する。これに応じて紙幣制御部１２は、取得した鑑別結果及び識別結果に基づいて紙幣の搬送先を決定する。
【００２４】
一時保留部２０は、入金時に顧客が入出金部１６へ投入した紙幣を一時的に保留し、鑑別部１８で入金可能と鑑別された入金可能紙幣を入金が確定するまで一時的に保留する。一方、入金不可と鑑別された入金リジェクト紙幣は入出金部１６へ排出される。また一時保留部２０は、出金時において鑑別部１８で出金不可能と鑑別された出金不可紙幣を、出金可能な紙幣が出金されるまで一時的に保留し、その後該出金不可紙幣をリジェクト庫２８へ排出する。
【００２５】
また紙幣入出金機１０の内部には、下側に金種別の紙幣収納庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が入出金部１６から取り忘れた紙幣を回収して格納する取忘れ庫２２とが設けられている。紙幣収納庫２６は、収納繰出機構により、搬送部２４から搬送されてきた紙幣を取り込んで収納すると共に、収納されている紙幣を排出して搬送部２４へ供給する。
【００２６】
かかる構成において現金自動取引装置１は、鑑別部１８による紙幣の鑑別結果及び識別結果等をもとに主制御部９及び紙幣制御部１２が各部を制御して、紙幣の入金処理及び出金処理等を行う。
【００２７】
［１−３．カード情報読取部の構成］
図４に示すように、現金自動取引装置１の顧客応対部３には、顧客に挿入されたカードＣＤを搬送し該カードＣＤの磁気ストライプＭＳに格納されたカード情報の読取、上書及び消去等を行うカード情報読取部３２が設けられている。
【００２８】
カード情報読取部３２は、フロントパネル３０においてカード入出口４を有している。このカード入出口４は、短手方向を前後方向に沿わせた状態で前後方向であるカード挿脱方向ＤＣｉｏの一方向であるカード挿入方向ＤＣｉに沿ってカードＣＤを挿入すると共に、短手方向を前後方向に沿わせた状態でカード挿脱方向ＤＣｉｏの他方向であるカード排出方向ＤＣｏに沿ってカードＣＤを排出する。すなわちカード入出口４は、短手方向を前後方向に沿わせた状態で、カード挿脱方向ＤＣｉｏに沿ってカードＣＤを挿入及び排出する。以下では、カードＣＤの短手方向が前後方向に沿う状態を横向きとも呼び、短手方向が左右方向に沿う状態を縦向きとも呼ぶ。
【００２９】
またカード入出口４には、フロントパネル３０の正面からカード挿入方向ＤＣｉへ向かって所定深さに切り欠かれた切欠部３４が設けられていることにより、利用者によりカードＣＤが挿抜され易くなっている。
【００３０】
切欠部３４の後方、すなわちカード挿入方向ＤＣｉ側には、カード保持部３６が設けられている。カード保持部３６は、カードＣＤの外形よりも僅かに大きい内部空間であるカード保持空間３６Ｓを有する薄型箱形状であり、切欠部３４と接続される前面と、カードリーダ３８と接続される左面とが開口している。これによりカード保持部３６は、横向きのカードＣＤをカード保持空間３６Ｓに収納すると共に、カードリーダ３８のカードリーダ挿脱部３９への該カードＣＤの移動をガイドする。
【００３１】
このようにカード情報読取部３２は、カード保持部３６のカード保持空間３６Ｓを、カードＣＤが挿入される程度に可能な限り上下方向に薄く形成するようにした。これによりカード情報読取部３２は、スキミングデバイスをカード保持空間３６Ｓ内部に取り付けられにくくすることができる。
【００３２】
またカード情報読取部３２は、磁気ストライプＭＳが奥側、すなわち現金自動取引装置１の内部側に位置する状態でカード保持部３６にカードＣＤを挿入させるようにした。これによりカード情報読取部３２は、カード保持空間３６Ｓ内部にカードＣＤの磁気ストライプＭＳを隠してカード入出口４に露出しないようにし、カード保持空間３６Ｓ内部におけるカードＣＤの磁気ストライプＭＳに対応する位置に、スキミングデバイスをより一層取り付けられにくくすることができる。
【００３３】
カード保持部３６の左側、すなわちカードリーダ挿入方向ＤＣｒｉ側には、カードリーダ３８が設けられている。カードリーダ３８は、箱型のカードリーダ筐体４４を有している。カードリーダ筐体４４は、該カードリーダ３８にカードＣＤを挿脱するカードリーダ挿脱部３９が、カード入出口４が開口する前方向に対し横向き、すなわち右向きに実装されている。カードリーダ筐体４４内部には、磁気ストライプＭＳからカード情報を読み出す磁気ヘッド４０が、カードＣＤの磁気ストライプＭＳと対向するように固定されている。このカードリーダ３８は、カード保持部３６に横向きに保持されカードリーダ挿脱部３９から挿入されたカードＣＤを左右方向であるカードリーダ挿脱方向ＤＣｒｉｏの一方向であるカードリーダ挿入方向ＤＣｒｉに沿って引き込み、該カードＣＤの磁気ストライプＭＳからカード情報を読み取ると共に、カードリーダ挿脱方向ＤＣｒｉｏの他方向であるカードリーダ排出方向ＤＣｒｏに沿ってカードリーダ挿脱部３９からカードＣＤをカード保持部３６に繰り出す。
【００３４】
すなわちカードリーダ３８は、ストライプ延設方向ＤＳをカード挿入方向ＤＣｉに対し直交するカードリーダ挿入方向ＤＣｒｉに沿わせた状態で、該カードＣＤを搬送し、磁気ストライプＭＳに磁気ヘッド４０の上側を通過させることにより、カードＣＤのカード情報を読み取る。
【００３５】
かかる構成において現金自動取引装置１は、カード挿入待ち状態になった際、磁気ストライプＭＳがカードＣＤの下面側の後端側に位置する状態でカードＣＤを横向きにカード保持部３６に入れて左側にスライドさせるよう利用者に促す案内を操作表示部６に表示する。利用者は、カード入出口４を介しカード保持部３６の後壁面に突き当たるまでカードＣＤをカード挿入方向ＤＣｉに沿って挿入した後、カードリーダ挿入方向ＤＣｒｉにスライドさせる。
【００３６】
カードリーダ３８は、ストライプ延設方向ＤＳがカードリーダ挿入方向ＤＣｒｉに沿った状態でカードリーダ挿脱部３９から挿入されたカードＣＤを図示しないカード搬送機構によりカードリーダ挿入方向ＤＣｒｉに沿って引き込み、カード情報を読み取る。続いてカードリーダ３８は、ストライプ延設方向ＤＳがカードリーダ排出方向ＤＣｒｏに沿った状態で図示しないカード搬送機構によりカードリーダ排出方向ＤＣｒｏに沿ってカードＣＤをカードリーダ挿脱部３９からカード保持部３６に繰り出す。
【００３７】
カードＣＤ全体がカード保持部３６に繰り出されカード取出待ち状態になった際、現金自動取引装置１は、カード保持部３６からカードＣＤを取り出すよう利用者に促す案内を操作表示部６に表示する。利用者は、カードＣＤの前端を摘み、カード保持部３６からカードＣＤをカード排出方向ＤＣｏに沿ってカード入出口４を介し移動させ、該カードＣＤを取り出す。
【００３８】
［１−４．効果等］
以上の構成においてカード情報読取部３２は、カード挿入方向ＤＣｉに対しストライプ延設方向ＤＳを直交させた横向きの状態でカード挿入方向ＤＣｉに沿わせてカード入出口４を介してカードＣＤをカード保持部３６まで利用者に挿入させた後に、カードリーダ挿入方向ＤＣｒｉにストライプ延設方向ＤＳを沿わせてカードリーダ３８にカードＣＤを取り込み、カード情報を読み取るようにした。このため仮にカード入出口４の外側にスキミングデバイスを取り付けられたとしても、カードＣＤは、ストライプ延設方向ＤＳと直交する方向で該スキミングデバイスを通過することとなる。これによりカード情報読取部３２は、ストライプ延設方向ＤＳに沿ってカードＣＤがスキミングデバイスを通過してしまうことを防ぐことができ、該カードＣＤからカード情報を不正に取得されないようにできる。
【００３９】
また現金自動取引装置１は、従来から一般的に用いられているカードリーダを平面視で反時計回りに９０度回転させるように向きを変更して配置させるだけでカードリーダ３８を構成できるため、従来のカードリーダを流用でき、新たなカードリーダを設計する必要がない。
【００４０】
以上の構成によれば、現金自動取引装置１は、媒体としての紙幣に関する取引を受け付ける顧客応対部３と、ストライプ延設方向ＤＳに沿って磁気ストライプＭＳが設けられたカードＣＤを、媒体挿脱方向としてのカード挿脱方向ＤＣｉｏに沿って挿脱するカード入出口４と、カード挿脱方向ＤＣｉｏとは異なる方向にストライプ延設方向ＤＳが向くよう搬送されたカードＣＤにおける磁気ストライプＭＳから、媒体情報としてのカード情報を読み取るカードリーダ３８を設けるようにした。これにより現金自動取引装置１は、カードＣＤの挿脱時に、ストライプ延設方向ＤＳに沿って大きくカードＣＤを移動させないようにすることができる。
【００４１】
［２．第２の実施の形態］
［２−１．現金自動取引装置の構成］
図１及び図２に示すように、第２の実施の形態による現金自動取引装置１０１は、第１の実施の形態による現金自動取引装置１と比べて、カード情報読取部１３２がカード情報読取部３２と異なっているものの、それ以外は同様に構成されている。
【００４２】
［２−２．カード情報読取部の構成］
図５に示すように、カード情報読取部１３２は、フロントパネル３０においてカード入出口１０４を有している。このカード入出口１０４は、カードＣＤの短手方向の長さよりも僅かに長い幅だけ左右方向に沿って開口し、縦向きで前後方向であるカード挿脱方向ＤＣｉｏの一方向であるカード挿入方向ＤＣｉに沿って利用者に挿入されたカードＣＤを、平面視で反時計回りに回転させつつ挿入して搬送すると共に、平面視で反時計回りに回転された状態でカード挿脱方向ＤＣｉｏの他方向であるカード排出方向ＤＣｏに沿ってカードＣＤを排出する。すなわちカード入出口１０４は、長手方向を前後方向に対し例えば３０度の回転角度だけ傾斜させた状態で、カード挿脱方向ＤＣｉｏに沿ってカードＣＤを挿入及び排出する。以下では、カードＣＤの長手方向が前後方向から左右に傾いている状態を回転状態とも呼ぶ。
【００４３】
カード入出口１０４の後側、すなわちカード挿入方向ＤＣｉ側には、カードリーダ１３８が設けられている。このカードリーダ１３８は、前後方向に長い箱型のカードリーダ筐体１４４を有している。
【００４４】
カードリーダ筐体１４４の内部には、搬送ベルト４６Ｌ及び４６Ｒが設けられている。搬送ベルト４６Ｌ及び４６Ｒは、前端近傍及び後端近傍にそれぞれ配置された複数のローラ４８Ｌ及び４８Ｒそれぞれの周囲に掛け回され前後方向に沿って延設されたゴムの無端ベルトであり、カードＣＤのカード挿脱方向ＤＣｉｏに直交する搬送幅方向（左右方向）にカードＣＤの短手方向の長さよりも短い間隔を開けて左右に並び２組設けられている。以下では搬送ベルト４６Ｌ及び４６Ｒをまとめて搬送ベルト４６とも呼び、ローラ４８Ｌ及び４８Ｒをまとめてローラ４８とも呼ぶ。この搬送ベルト４６は、主制御部９の制御に基づきローラ４８が回転することにより、上側の搬送ベルト４６の下面と、下側の搬送ベルト４６の上面とを搬送方向に沿って走行させる。これによりカード情報読取部１３２は、上側の搬送ベルト４６と下側の搬送ベルト４６とでカードＣＤを挟持しつつカード挿脱方向ＤＣｉｏに沿って搬送する。
【００４５】
カードリーダ筐体１４４の右側内壁面と左側内壁面とには、それぞれ直角三角柱形状の回転矯正部材５０Ｒと回転矯正部材５０Ｌとが設けられている。この回転矯正部材５０Ｒは、後方に向かうに連れて左側に傾斜する平面である回転矯正面５０ＳＲが左側面に設けられている。回転矯正部材５０Ｌは、後方に向かうに連れて右側に傾斜する平面である回転矯正面５０ＳＬが右側面に設けられている。以下では回転矯正面５０ＳＲ及び５０ＳＬをまとめて回転矯正面５０Ｓとも呼ぶ。このように回転矯正部材５０は、後方に向かうに連れて回転矯正部材５０Ｌの右端部と回転矯正部材５０Ｒの左端部との間隔が徐々に狭くなる回転矯正面５０Ｓが形成されている。また回転矯正部材５０は、回転矯正面５０ＳＬの後端部と回転矯正面５０ＳＲの後端部とがカードＣＤの短手方向の長さよりも僅かに広い間隔を開けて配置されている。
【００４６】
カードリーダ筐体１４４内部には、磁気ストライプＭＳからカード情報を読み出す磁気ヘッド１４０が、カードＣＤの磁気ストライプＭＳと対向するように固定されている。カードリーダ１３８は、回転状態のカードＣＤをカード挿入方向ＤＣｉに沿って搬送し該カードＣＤの磁気ストライプＭＳからカード情報を読み取ると共に、カード排出方向ＤＣｏに沿ってカード入出口１０４から排出する。またカード情報読取部１３２は、カード入出口１０４をカードＣＤが通過したか否かを検出するカード検出センサ（図示せず）が設けられており、カードＣＤの検出結果を主制御部９へ送出する。
【００４７】
かかる構成において現金自動取引装置１０１は、カード挿入待ち状態になった際、磁気ストライプＭＳがカードＣＤの下面側に位置する状態で進行方向マークＭＫの向きを後側に向けてカードＣＤを縦向きにカード入出口１０４に入れるよう利用者に促す案内を操作表示部６に表示する。利用者は、カードＣＤをカード挿入方向ＤＣｉに沿って縦向きにカード入出口１０４に挿入する。
【００４８】
カードリーダ１３８は、搬送ベルト４６の前端でカードＣＤの後端を把持すると、ローラ４８Ｒの回転数をローラ４８Ｌよりも大きくすることにより、搬送ベルト４６Ｒを搬送ベルト４６Ｌよりも速く回転させる。これによりカードリーダ１３８は、平面視で反時計回りにカードＣＤを回転させつつカード挿入方向ＤＣｉに沿ってカード入出口１０４を通過させて該カードＣＤを引き込む。続いてカードリーダ１３８は、カードＣＤの全体がカード入出口１０４よりも後方に位置すると、ローラ４８Ｒとローラ４８Ｌとを同じ回転数で回転させることにより、搬送ベルト４６Ｒと搬送ベルト４６Ｌとを同じ速さで回転させ、該カードＣＤを回転矯正部材５０まで搬送する。ここでカードＣＤが回転矯正部材５０の回転矯正面５０Ｓに当接しつつ後方へ移動すると、該カードＣＤは平面視で時計回りに回転することにより、縦向きへと向きが矯正されつつ搬送される。続いてカードリーダ１３８は、縦向きとなったカードＣＤをカードリーダ挿入方向ＤＣｒｉに沿って搬送し、磁気ヘッド１４０によりカード情報を読み取る。
【００４９】
続いてカードリーダ１３８は、ローラ４８Ｌ及び４８Ｒを逆方向に回転させることにより、搬送ベルト４６Ｒと搬送ベルト４６Ｌとを同じ速さで逆方向に回転させ、該カードＣＤを回転矯正部材５０の前側まで搬送する。続いてカードリーダ１３８は、ローラ４８Ｌの回転数をローラ４８Ｒよりも大きくすることにより、搬送ベルト４６Ｌを搬送ベルト４６Ｒよりも速く回転させる。これによりカードリーダ１３８は、平面視で反時計回りにカードＣＤを回転させつつカード排出方向ＤＣｏに沿ってカード入出口１０４を通過させて該カードＣＤを排出する。
【００５０】
カードＣＤのほぼ全体がカード入出口１０４から排出されカード取出待ち状態になった際、現金自動取引装置１０１は、カード入出口１０４から回転状態のカードＣＤを取り出すよう利用者に促す案内を操作表示部６に表示する。利用者は、回転状態のカードＣＤの前端を摘み、該カードＣＤをカード排出方向ＤＣｏに沿ってカード入出口１０４を介し移動させ、該カードＣＤを取り出す。
【００５１】
［２−３．効果等］
以上の構成においてカード情報読取部１３２は、カードＣＤを回転させることによりストライプ延設方向ＤＳをカード挿入方向ＤＣｉに対し傾けた状態で、該カードＣＤにカード入出口１０４を通過させるようにした。このため仮にカード入出口１０４の外側にスキミングデバイスを取り付けられたとしても、カードＣＤは、ストライプ延設方向ＤＳに傾斜する方向で該スキミングデバイスを通過することとなる。これによりカード情報読取部１３２は、ストライプ延設方向ＤＳに沿ってカードＣＤがスキミングデバイスを通過してしまうことを防ぐことができ、該カードＣＤからカード情報を不正に取得されないようにできる。
【００５２】
またカード情報読取部１３２は、カード挿入待ち状態において、カードＣＤを縦向きにカード入出口１０４に利用者に入れさせるようにした。これによりカード情報読取部１３２は、回転状態にしてカードＣＤをカード入出口１０４に利用者に入れさせる場合と比べて、一般的な現金自動取引装置と同様の操作感とすることができ、違和感なく利用者にカードＣＤを入れさせることができる。
【００５３】
その他第２の実施の形態によるカード情報読取部１３２は、第１の実施の形態によるカード情報読取部３２とほぼ同様の作用効果を奏する。
【００５４】
［３．第３の実施の形態］
［３−１．現金自動取引装置の構成］
図１及び図２に示すように、第３の実施の形態による現金自動取引装置２０１は、第１の実施の形態による現金自動取引装置１と比べて、カード情報読取部２３２がカード情報読取部３２と異なっているものの、それ以外は同様に構成されている。
【００５５】
［３−２．カード情報読取部の構成］
図６に示すように、カード情報読取部２３２は、フロントパネル３０においてカード入出口２０４を有している。このカード入出口２０４は、前後方向であるカード挿脱方向ＤＣｉｏの一方向であるカード挿入方向ＤＣｉに沿って縦向きで利用者に挿入されたカードＣＤを、平面視で反時計回りに回動させつつ挿入して搬送すると共に、平面視で時計回りに回転させつつ搬送して排出し、カード挿脱方向ＤＣｉｏの他方向であるカード排出方向ＤＣｏに沿ってカードＣＤを取り出させる。すなわちカード入出口２０４は、長手方向をカード挿脱方向ＤＣｉｏに対し傾けた状態で、カードＣＤを挿入及び排出する。
【００５６】
カード入出口２０４の後側、すなわちカード挿入方向ＤＣｉ側には、カードリーダ２３８が設けられている。このカードリーダ２３８は、箱型のカードリーダ筐体２４４を有している。
【００５７】
カードリーダ筐体２４４内におけるカード入出口２０４のカード挿入方向ＤＣｉ側には、媒体保持部としてのカードホルダ５２が設けられている。カードホルダ５２は、カードＣＤの短手方向の長さよりも僅かに長い幅だけ前面が左右方向に沿って開口する平面視コ字形状であり、内部にカードＣＤを保持する空間が形成され、カードＣＤの後端における該カードＣＤの長手方向の長さのほぼ４分の１を把持する。またカードホルダ５２は、主制御部９に制御されるホルダ回動駆動モータ（図示せず）により、左後端に位置するホルダ支点５２ｆを支点として、前方が開口し利用者との間でカードＣＤを受け渡す状態であるカード受渡状態（図６）と、右方が開口し磁気ヘッド２４０によりカード情報を読み取らせる状態であるカード読取状態（図８及び図９）とに９０度回動する。
【００５８】
またカード情報読取部２３２は、カード受渡状態におけるカードホルダ５２にカードＣＤが挿入されたか否かを検出するカード検出センサ５４が設けられており、カードＣＤの検出結果を主制御部９へ送出する。
【００５９】
カードリーダ筐体２４４におけるカードホルダ５２の右側にはカードリーダ筐体２４４の内部と外部とを挿通する開口であり、回動するカードＣＤを通過させる、カード入出口２０４の一部であるホルダ通過開口部５６が設けられている。カードリーダ筐体２４４には、細長い棒状でありホルダ通過開口部５６を開閉するシャッタ５８が設けられている。シャッタ５８は、右端に位置するシャッタ支点５８ｆを支点として、主制御部９に制御されるシャッタ回動駆動モータ（図示せず）により、左右方向に沿って延設しホルダ通過開口部５６を閉鎖する状態である開口部閉鎖状態（図６）と、前後方向に沿って延設しホルダ通過開口部５６を開放する状態である開口部開放状態（図７、図８及び図９）とに９０度回動する。
【００６０】
またカードリーダ筐体２４４内部には、磁気ストライプＭＳからカード情報を読み出す磁気ヘッド２４０が設けられている。磁気ヘッド２４０は、カードＣＤの磁気ストライプＭＳと対向し、主制御部９に制御されるヘッド駆動モータ（図示せず）により左右方向に移動する。
【００６１】
かかる構成において現金自動取引装置２０１は、カード挿入待ち状態になった際、磁気ストライプＭＳがカードＣＤの下面側に位置する状態で進行方向マークＭＫの向きを後側に向けてカードＣＤを縦向きにカード入出口２０４に入れるよう利用者に促す案内を操作表示部６に表示する。この状態において図６に示すようにカードホルダ５２はカード受渡状態に、シャッタ５８は開口部閉鎖状態になっている。利用者は、カード入出口２０４を介しカードホルダ５２の後壁面に突き当たるまでカードＣＤをカード挿入方向ＤＣｉに沿って縦向きに挿入する。
【００６２】
カードリーダ２３８は、カードホルダ５２でカードＣＤの後端を把持し、該カードＣＤは、前側の大部分がフロントパネル３０よりも前側に突出した状態となる。カードリーダ２３８は、カード検出センサ５４によりカードＣＤを検出すると、図７に示すようにシャッタ５８を平面視で時計回りに９０度回動させ開口部開放状態とすることにより、シャッタ５８をカードＣＤの回動軌跡から退避させ、ホルダ通過開口部５６をカードＣＤが通過可能な状態にする。
【００６３】
続いてカードリーダ２３８は、図８に示すようにカードＣＤにホルダ通過開口部５６を通過させつつカードホルダ５２を平面視で反時計回りに９０度回動させカード読取状態とする。このようにカードリーダ２３８は、平面視で反時計回りにカードＣＤを回動させつつカード入出口２０４を通過させる。これによりカードリーダ２３８は、カードＣＤをカードリーダ筐体２４４の内部へ取り込むと共に、該カードＣＤを横向きにし、ストライプ延設方向ＤＳを磁気ヘッド２４０の移動方向に沿う状態にする。続いてカードリーダ２３８は、図９に示すように、横向きとなったカードＣＤに対し磁気ヘッド２４０を右方に向かって移動させることによりカード情報を読み取る。
【００６４】
続いてカードリーダ２３８は、カードホルダ５２を平面視で時計回りに９０度回転させた後にシャッタ５８を平面視で反時計回りに９０度回転させ、平面視で時計回りにカードＣＤを回動させつつカード入出口２０４を通過させて該カードＣＤを排出する。
【００６５】
カードＣＤのほぼ全体がカード入出口２０４から排出されカード取出待ち状態になった際、現金自動取引装置２０１は、カード入出口２０４からカードＣＤを取り出すよう利用者に促す案内を操作表示部６に表示する。利用者は、カードＣＤの前端を摘み、該カードＣＤをカード排出方向ＤＣｏに沿ってカード入出口２０４を介し移動させ、該カードＣＤを取り出す。
【００６６】
［３−３．効果等］
以上の構成においてカード情報読取部２３２は、カードＣＤを回動させることによりストライプ延設方向ＤＳをカード挿入方向ＤＣｉに対し傾けた状態で、該カードＣＤにカード入出口２０４を通過させるようにした。このため仮にカード入出口２０４の外側にスキミングデバイスを取り付けられたとしても、カードＣＤは、ストライプ延設方向ＤＳに傾斜する方向で該スキミングデバイスを通過することとなる。このためカード情報読取部２３２は、ストライプ延設方向ＤＳに沿ってカードＣＤがスキミングデバイスを通過してしまうことを防ぐことができ、該カードＣＤからカード情報を不正に取得されないようにできる。
【００６７】
またカード情報読取部２３２は、カードホルダ５２がカード受渡状態のとき、シャッタ５８を開口部閉鎖状態にするようにした。これによりカード情報読取部２３２は、カードＣＤにホルダ通過開口部５６を通過させる際だけ該ホルダ通過開口部５６を開放することとなり、該ホルダ通過開口部５６にスキミングデバイスを取り付けられたり、該ホルダ通過開口部５６からカードリーダ筐体２４４内部にアクセスされたりすることを抑止でき、セキュリティを保つことができる。
【００６８】
またカード情報読取部２３２は、カードＣＤの長手方向の長さのほぼ４分の１程度の浅い範囲をカードホルダ５２で把持するようにした。このため仮にカード入出口２０４の外側にスキミングデバイスを取り付けられたとしても、利用者がカードホルダ５２にカードＣＤをカード挿脱方向ＤＣｉｏに沿って挿脱する際に、カードＣＤは、磁気ストライプＭＳの４分の１程度のみが該スキミングデバイスを通過することとなる。これによりカード情報読取部２３２は、カードホルダ５２によりカードＣＤを保持しつつ、ストライプ延設方向ＤＳに沿って磁気ストライプＭＳの前端から後端までカードＣＤがスキミングデバイスを通過してしまうことを防ぐことができる。
【００６９】
その他第３の実施の形態によるカード情報読取部２３２は、第１の実施の形態によるカード情報読取部３２とほぼ同様の作用効果を奏する。
【００７０】
［４．第４の実施の形態］
［４−１．現金自動取引装置の構成］
図１及び図２に示すように、第４の実施の形態による現金自動取引装置３０１は、第１の実施の形態による現金自動取引装置１と比べて、カード情報読取部３３２がカード情報読取部３２と異なっているものの、それ以外は同様に構成されている。
【００７１】
［４−２．カード情報読取部の構成］
図４と対応する図１０に示すように、カード情報読取部３３２は、全体としてカード情報読取部３２を平面視で時計回りに９０度回転させたような構成となっている。
【００７２】
カード情報読取部３２は、現金自動取引装置３０１の左側面である筐体左側面３０２Ｌにおいてカード入出口３０４を有している。このカード入出口３０４は、左右方向であるカード挿脱方向ＤＣｉｏの一方向であるカード挿入方向ＤＣｉに沿って縦向きでカードＣＤを挿入すると共に、カード挿脱方向ＤＣｉｏの他方向であるカード排出方向ＤＣｏに沿って縦向きでカードＣＤを排出する。すなわちカード入出口３０４は、カード挿脱方向ＤＣｉｏに沿ってカードＣＤを縦向きで挿入及び排出する。
【００７３】
またカード入出口３０４には、筐体左側面３０２Ｌからカード挿入方向ＤＣｉへ向かって所定深さに切り欠かれた切欠部３３４が設けられていることにより、利用者によりカードＣＤが挿抜し易くなっている。
【００７４】
切欠部３３４の右方、すなわちカード挿入方向ＤＣｉ側には、カード保持部３３６が設けられている。カード保持部３３６は、カードＣＤの外形よりも僅かに大きい内部空間であるカード保持空間３３６Ｓを有する薄型箱形状であり、切欠部３３４と接続される左面と、カードリーダ３８と接続される後面とが開口している。これによりカード保持部３３６は、縦向きのカードＣＤをカード保持空間３３６Ｓに収納すると共に、カードリーダ３３８のカードリーダ挿脱部３３９への該カードＣＤの移動をガイドする。
【００７５】
このようにカード情報読取部３３２は、カード保持部３３６のカード保持空間３３６Ｓを、カードＣＤが挿入される程度に可能な限り上下方向に薄く形成するようにした。これによりカード情報読取部３３２は、スキミングデバイスをカード保持空間３３６Ｓ内部に取り付けられにくくすることができる。
【００７６】
またカード情報読取部３３２は、磁気ストライプＭＳが右側、すなわち現金自動取引装置３０１の内部側に位置する状態でカード保持部３３６にカードＣＤを挿入させるようにした。これによりカード情報読取部３３２は、カード保持空間３３６Ｓ内部にカードＣＤの磁気ストライプＭＳを隠してカード入出口３０４に露出しないようにし、カード保持空間３３６Ｓ内部におけるカードＣＤの磁気ストライプＭＳに対応する位置に、スキミングデバイスをより一層取り付けられにくくすることができる。
【００７７】
カード保持部３３６の後側、すなわちカードリーダ挿入方向ＤＣｒｉ側には、カードリーダ３３８が設けられている。カードリーダ３３８は、箱型のカードリーダ筐体３４４を有している。カードリーダ３３８は、カードリーダ３８（図４）が平面視で９０度回転して配置されている。カードリーダ３３８は、該カードリーダ３３８にカードＣＤを挿脱するカードリーダ挿脱部３３９が、カード入出口３０４が開口する左方向に対し横向き、すなわち前向きに実装されている。カードリーダ筐体３４４内部には、磁気ストライプＭＳからカード情報を読み出す磁気ヘッド３４０が、カードＣＤの磁気ストライプＭＳと対向するように固定されている。このカードリーダ３３８は、カード保持部３３６に縦向きに保持されカードリーダ挿脱部３３９から挿入されたカードＣＤを前後方向であるカードリーダ挿脱方向ＤＣｒｉｏの一方向であるカードリーダ挿入方向ＤＣｒｉに沿って引き込み該カードＣＤの磁気ストライプＭＳからカード情報を読み取ると共に、カードリーダ挿脱方向ＤＣｒｉｏの他方向であるカードリーダ排出方向ＤＣｒｏに沿ってカードリーダ挿脱部３３９からカードＣＤをカード保持部３３６に繰り出す。
【００７８】
すなわちカードリーダ３３８は、ストライプ延設方向ＤＳをカード挿入方向ＤＣｉに対し直交するカードリーダ挿入方向ＤＣｒｉに沿わせた状態で、該カードＣＤを搬送し、磁気ストライプＭＳに磁気ヘッド３４０の上側を通過させることにより、カードＣＤのカード情報を読み取る。
【００７９】
かかる構成において現金自動取引装置３０１は、カード挿入待ち状態になった際、磁気ストライプＭＳがカードＣＤの下面側の右端側に位置する状態でカードＣＤを縦向きにカード保持部３３６に入れて後側にスライドさせるよう利用者に促す案内を操作表示部６に表示する。利用者は、カード入出口３０４を介しカード保持部３３６の右壁面に突き当たるまでカードＣＤをカード挿入方向ＤＣｉに沿って挿入した後、カードリーダ挿入方向ＤＣｒｉにスライドさせる。
【００８０】
カードリーダ３３８は、ストライプ延設方向ＤＳがカードリーダ挿入方向ＤＣｒｉに沿った状態でカードリーダ挿脱部３３９から挿入されたカードＣＤを図示しないカード搬送機構によりカードリーダ挿入方向ＤＣｒｉに沿って引き込み、カード情報を読み取る。続いてカードリーダ３３８は、ストライプ延設方向ＤＳがカードリーダ排出方向ＤＣｒｏに沿った状態で図示しないカード搬送機構によりカードリーダ排出方向ＤＣｒｏに沿ってカードＣＤをカードリーダ挿脱部３３９からカード保持部３３６に繰り出す。
【００８１】
カードＣＤ全体がカード保持部３３６に繰り出されカード取出待ち状態になった際、現金自動取引装置３０１は、カード保持部３３６からカードＣＤを取り出すよう利用者に促す案内を操作表示部６に表示する。利用者は、カードＣＤの左端を摘み、カード保持部３３６からカードＣＤをカード排出方向ＤＣｏに沿ってカード入出口３０４を介し移動させ、該カードＣＤを取り出す。
【００８２】
以上の構成において現金自動取引装置３０１は、カード挿入方向ＤＣｉに対しストライプ延設方向ＤＳを直交させた縦向きの状態でカード挿入方向ＤＣｉに沿わせてカード入出口３０４を介してカードＣＤをカード保持部３３６まで利用者に挿入させた後に、カードリーダ挿入方向ＤＣｒｉにストライプ延設方向ＤＳを沿わせてカードリーダ３３８にカードＣＤを取り込み、カード情報を読み取るようにした。このため仮にカード入出口３０４の外側にスキミングデバイスを取り付けられたとしても、カードＣＤは、ストライプ延設方向ＤＳと直交する方向で該スキミングデバイスを通過することとなる。このため現金自動取引装置３０１は、ストライプ延設方向ＤＳに沿ってカードＣＤがスキミングデバイスを通過してしまうことを防ぐことができ、該カードＣＤからカード情報を不正に取得されないようにできる。
【００８３】
また現金自動取引装置３０１は、従来から一般的に用いられているカードリーダを配置させるだけでカードリーダ３３８を構成できるため、従来のカードリーダを流用でき、新たなカードリーダを設計する必要がない。
【００８４】
その他第４の実施の形態によるカード情報読取部３３２は、第１の実施の形態によるカード情報読取部３２とほぼ同様の作用効果を奏する。
【００８５】
［５．第５の実施の形態］
［５−１．現金自動取引装置の構成］
図１及び図２に示すように、第５の実施の形態による現金自動取引装置４０１は、第３の実施の形態による現金自動取引装置２０１と比べて、カード情報読取部４３２がカード情報読取部２３２と異なっているものの、それ以外は同様に構成されている。
【００８６】
［５−２．カード情報読取部の構成］
図６と対応する図１１に示すように、カード情報読取部４３２のカードホルダ５２は、主制御部９に制御されるホルダ前後駆動モータ（図示せず）により、前方が開口し利用者との間でカードＣＤを受け渡す状態であるカード受渡状態（図１１中破線で示す）と、前方が開口し現金自動取引装置４０１内部にカードＣＤを引き込んだ状態であるカード引込状態（図１１中実線で示す）とに前後方向（カード挿脱方向ＤＣｉｏ）に直線的に往復移動する。
【００８７】
かかる構成において現金自動取引装置４０１は、カード挿入待ち状態になった際、磁気ストライプＭＳがカードＣＤの下面側に位置する状態で進行方向マークＭＫの向きを後側に向けてカードＣＤを縦向きにカード入出口２０４に入れるよう利用者に促す案内を操作表示部６に表示する。この状態においてカードホルダ５２はカード受渡状態に、シャッタ５８は開口部閉鎖状態になっている。利用者は、カード入出口２０４を介しカードホルダ５２の後壁面に突き当たるまでカードＣＤをカード挿入方向ＤＣｉに沿って縦向きに挿入する。
【００８８】
カードリーダ４３８は、カードホルダ５２でカードＣＤの後端を把持し、該カードＣＤは、前側の大部分がフロントパネル３０よりも前側に突出した状態となる。カードリーダ４３８は、カード検出センサ５４によりカードＣＤを検出すると、カードホルダ５２を後方であるカード引込方向ＤＣｄに沿って移動させることにより、カードＣＤを後方へ引き込みカード引込状態とする。その後カードリーダ４３８は、カードリーダ２３８と同様にシャッタ５８及びカードホルダ５２を回動させ磁気ヘッド２４０でカード情報を読み取った後、該シャッタ５８及び該カードホルダ５２を回動させカード引込状態とする。
【００８９】
続いてカードリーダ４３８は、カードホルダ５２を前方であるカード排出方向ＤＣｏに沿って移動させることにより、カードＣＤを排出する。現金自動取引装置４０１は、カード入出口２０４からカードＣＤを取り出すよう利用者に促す案内を操作表示部６に表示する。利用者は、カードＣＤの前端を摘み、該カードＣＤをカード排出方向ＤＣｏに沿ってカード入出口２０４を介し移動させ、該カードＣＤを取り出す。
【００９０】
ここで、一般的な現金自動取引装置は、カード入出口にカードＣＤが挿入されると、所定のカード搬送機構により該カードＣＤを現金自動取引装置内に引き込む動作を行うため、該カードＣＤがカード入出口に差し込まれた後に後方にカードＣＤが搬送されないと、利用者は不安に思いさらにカードＣＤを押し込もうとする場合がある。
【００９１】
これに対しカード情報読取部４３２は、カードＣＤがカードホルダ５２に差し込まれると、該カードＣＤと共にカードホルダ５２をカード引込方向ＤＣｄに移動させるようにした。これによりカード情報読取部４３２は、一般的な現金自動取引装置と同様の操作感とすることができ、カード挿入時に利用者に違和感を与えないようにし、操作性を向上させることができる。
【００９２】
その他第５の実施の形態によるカード情報読取部４３２は、第３の実施の形態によるカード情報読取部２３２とほぼ同様の作用効果を奏する。
【００９３】
［６．他の実施の形態］
なお上述した第２の実施の形態においては、ストライプ延設方向ＤＳをカード挿脱方向ＤＣｉｏに沿った状態から平面視で反時計回りに３０度程度回転させた状態でカードＣＤにカード入出口１０４を通過させる場合について述べた。本発明はこれに限らず、図１２に示すカード情報読取部５３２のように、ストライプ延設方向ＤＳをカード挿脱方向ＤＣｉｏに沿った状態から平面視で時計回りに３０度程度回転させた状態でカードＣＤにカード入出口１０４を通過させるようにしても良い。
【００９４】
また上述した第２の実施の形態において、主制御部９の制御に基づきカードＣＤの回転角度を取引毎に変えることにより、磁気ストライプＭＳの位置の特定をさらに困難にし、カード情報をより一層読み取らせにくくしても良い。
【００９５】
さらに上述した第２の実施の形態においては、ローラ４８Ｒの回転数をローラ４８Ｌよりも大きくすることにより、搬送ベルト４６Ｒを搬送ベルト４６Ｌよりも速く回転させ、カードＣＤを回転させる場合について述べた。本発明はこれに限らず、左右方向に沿って延設された搬送ベルトや、回転テーブル等、種々の機構によりカードＣＤを回転させても良い。
【００９６】
さらに上述した第２の実施の形態においては、回転状態のカードＣＤを、回転矯正部材５０で縦向きに直した後、固定された磁気ヘッド１４０でカードＣＤのカード情報を読み取る場合について述べた。本発明はこれに限らず、移動可能な磁気ヘッドを回転状態のカードＣＤにおけるストライプ延設方向ＤＳに沿って移動させることによりカードＣＤのカード情報を読み取っても良い。その場合、回転矯正部材５０を省略できる。
【００９７】
さらに上述した第２の実施の形態においては、回転状態のカードＣＤをカード入出口４から排出する場合について述べた。本発明はこれに限らず、カードＣＤが回転矯正部材５０よりも前方に位置するとローラ４８Ｌの回転数を徐々にローラ４８Ｒに近づけることにより、傾きを矯正しつつ排出し、利用者がカードＣＤを摘む状態においては該カードＣＤを縦向きとしても良い。
【００９８】
さらに上述した第２の実施の形態においては、縦向きのカードＣＤを利用者にカード入出口１０４に挿入させる場合について述べた。本発明はこれに限らず、回転状態のカードＣＤを利用者にカード入出口１０４に挿入させても良い。
【００９９】
さらに上述した第２の実施の形態においては、回転矯正部材５０により回転状態から縦向きに矯正したカードＣＤをカード挿脱方向ＤＣｉｏに搬送してカード情報を読み取る場合について述べた。本発明はこれに限らず、回転矯正部材５０を省略すると共に、カードリーダ筐体におけるカード挿入方向ＤＣｉ側をカード挿脱方向ＤＣｉｏに対するストライプ延設方向ＤＳの傾斜角度と同様に屈曲させ、カードＣＤ全体がカード入出口４よりも後方に位置した後に回転状態のカードＣＤをストライプ延設方向ＤＳに沿って搬送してカード情報を読み取るようにしても良い。
【０１００】
さらに上述した第１の実施の形態においては、固定された磁気ヘッド４０の上側をカードＣＤに搬送させることにより磁気ストライプＭＳからカードＣＤのカード情報を読み取る場合について述べた。本発明はこれに限らず、移動可能な磁気ヘッドをストライプ延設方向ＤＳに沿って移動させることによりカードＣＤのカード情報を読み取っても良い。
【０１０１】
さらに上述した第１の実施の形態においては、カードリーダ挿入方向ＤＣｒｉにストライプ延設方向ＤＳを沿わせてカードリーダ３８にカードＣＤを取り込むことにより磁気ヘッド４０に磁気ストライプＭＳを走査させ、カード情報を読み取る場合について述べた。本発明はこれに限らず、利用者に対しストライプ延設方向ＤＳに沿わせてカードリーダ３８にカードＣＤを挿入してから取り出させることにより磁気ヘッド４０に磁気ストライプＭＳを走査させ、カード情報を読み取るようにしても良い。
【０１０２】
さらに上述した第１の実施の形態においては、カード挿脱方向ＤＣｉｏに対しカードリーダ挿脱方向ＤＣｒｉｏを直交させる場合について述べた。本発明はこれに限らず、カード挿脱方向ＤＣｉｏに対しカードリーダ挿脱方向ＤＣｒｉｏが直交しなくても良く、任意の角度を有していれば良い。
【０１０３】
さらに上述した第３の実施の形態においては、磁気ヘッド２４０を移動させることによりカード情報を読み取る場合について述べた。本発明はこれに限らず、固定された磁気ヘッドに対しカードＣＤを移動させることによりカード情報を読み取るようにしても良い。
【０１０４】
さらに上述した第１の実施の形態においては、カードＣＤの長手方向の一端から他端までに亘って長手方向であるストライプ延設方向ＤＳに沿って磁気ストライプＭＳが形成されたカードＣＤのカード情報を読み取るカード情報読取部３２に本発明を適用する場合について述べた。本発明はこれに限らず、カードＣＤの短手方向の一端から他端までに亘って短手方向であるストライプ延設方向ＤＳに沿って磁気ストライプＭＳが形成されたカードＣＤのカード情報を読み取るカード情報読取部に本発明を適用しても良い。第２乃至第５の実施の形態においても同様である。
【０１０５】
さらに上述した第４の実施の形態においては、現金自動取引装置３０１の左側面である筐体左側面３０２Ｌから右方に向かってカードＣＤを挿入し後方へ移動させるカード情報読取部３３２に本発明を適用する場合について述べた。本発明はこれに限らず、現金自動取引装置３０１の右側面である筐体右側面から左方に向かってカードＣＤを挿入し後方へ移動させるカード情報読取部に本発明を適用しても良い。但しその場合、従来のカードリーダを流用し難いため、新たなカードリーダを設計する必要がある。
【０１０６】
さらに上述した第１の実施の形態においては、磁気ストライプＭＳが配設されたカードＣＤのカード情報を読み取るカード情報読取部３２に本発明を適用する場合について述べた。本発明はこれに限らず、光学的等、種々の方法で情報を読み取るカード情報読取部に本発明を適用しても良い。第２乃至第５の実施の形態においても同様である。
【０１０７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１０８】
さらに上述した実施の形態においては、顧客との間で媒体としての紙幣に関する取引処理を行う現金自動取引装置１に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。
【０１０９】
さらに上述した実施の形態においては、媒体口としてのカード入出口４と、媒体情報読取部としてカードリーダ３８とによって、媒体情報読取装置としてのカード情報読取部３２を構成する場合について述べた。本発明はこれに限らず、その他種々の構成でなる媒体口と、媒体情報読取部とによって、媒体情報読取装置を構成するようにしても良い。
【０１１０】
さらに上述した実施の形態においては、顧客応対部としての顧客応対部３と、媒体口としてのカード入出口４と、媒体情報読取部としてカードリーダ３８とによって、媒体取引装置としての現金自動取引装置１を構成する場合について述べた。本発明はこれに限らず、その他種々の構成でなる顧客応対部と、媒体口と、媒体情報読取部とによって、媒体取引装置を構成するようにしても良い。
【産業上の利用可能性】
【０１１１】
本発明は、顧客との間で紙幣の入出金に関する取引処理を行う現金自動取引装置等でも利用できる。
【符号の説明】
【０１１２】
１、１０１、２０１、３０１、４０１……現金自動取引装置、２……筐体、３……顧客応対部、３０２Ｌ……筐体左側面、４、１０４、２０４、３０４……カード入出口、５……入出金口、６……操作表示部、７……テンキー、８……レシート発行口、９……主制御部、１０……紙幣入出金機、１１……入出金機筐体、１２……紙幣制御部、１４……記憶部、１６……入出金部、１８……鑑別部、２０……一時保留部、２２……取忘れ庫、２４……搬送部、２６……紙幣収納庫、２８……リジェクト庫、３０……フロントパネル、３２、１３２、２３２、３３２、４３２、５３２……カード情報読取部、３４、３３４……切欠部、３６、３３６……カード保持部、３６Ｓ、３３６Ｓ……カード保持空間、３８、１３８、２３８、３３８、４３８……カードリーダ、３９、３３９……カードリーダ挿脱部、４０、１４０、２４０、３４０……磁気ヘッド、４４、１４４、２４４、３４４……カードリーダ筐体、４６……搬送ベルト、４８……ローラ、５０……回転矯正部材、５０Ｓ……回転矯正面、５２……カードホルダ、５２ｆ……ホルダ支点、５４……カード検出センサ、５６……ホルダ通過開口部、５８……シャッタ、５８ｆ……シャッタ支点、ＣＤ……カード、ＭＳ……磁気ストライプ、ＭＫ……進行方向マーク、Ｄｉ……挿入指示方向、ＤＣｉｏ……カード挿脱方向、ＤＣｉ……カード挿入方向、ＤＣｏ……カード排出方向、ＤＳ……ストライプ延設方向、ＤＣｒｉｏ……カードリーダ挿脱方向、ＤＣｒｉ……カードリーダ挿入方向、ＤＣｒｏ……カードリーダ排出方向、ＤＣｄ……カード引込方向。
【図１】
2016207079.tif 000003
【図２】
2016207079.tif 000004
【図３】
2016207079.tif 000005
【図４】
2016207079.tif 000006
【図５】
2016207079.tif 000007
【図６】
2016207079.tif 000008
【図７】
2016207079.tif 000009
【図８】
2016207079.tif 000010
【図９】
2016207079.tif 000011
【図１０】
2016207079.tif 000012
【図１１】
2016207079.tif 000013
【図１２】
2016207079.tif 000014